(57)【要約】【課題】一対のマイクロフォンの配置を変更せずにステレオマイクユニットの指向特性を切り換え得る指向性切換機構を備えたステレオマイクユニットを具備するステレオタイプ音響用レコーダを提供する。【解決手段】ステレオタイプ音響用レコーダ１において、それぞれに前面音口と背面音口とが設けられた一対のマイクロフォン２４と、前面音口に音圧をかけるための前面開口と背面音口に音圧をかけるための背面開口とを有し一対のマイクロフォンの一つをそれぞれ収納しそれぞれの指向軸が所定の角度で交差して固定される一対の筒状の集音枠３５と、背面開口を開閉するためのシャッタ部材３６と、シャッタ部材の開閉を行うための開閉手段とを有する。【選択図】図３
2016054401.tif 000002
【特許請求の範囲】
【請求項１】
ステレオタイプ音響用レコーダにおいて、
それぞれに前面音口と背面音口とが設けられた一対のマイクロフォンと、
上記前面音口に音圧をかけるための前面開口と上記背面音口に音圧をかけるための背面開口とを有し、上記一対のマイクロフォンの一つをそれぞれ収納し、それぞれの指向軸が所定の角度で交差して固定される一対の筒状の集音枠と、
上記背面開口を開閉するためのシャッタ部材と、
上記シャッタ部材の開閉を行うための開閉手段と、
を有することを特徴とするステレオタイプ音響用レコーダ。
【請求項２】
上記一対のマイクロフォンの上記それぞれの指向軸が互いに角度９０度で交差していることを特徴とする請求項１に記載のステレオタイプ音響用レコーダ。
【請求項３】
上記開閉手段は、手動操作ツマミを有し、
上記手動操作ツマミが操作されることによって上記シャッタ部材の開閉が行われ、
上記シャッタ部材の開状態と閉状態とのそれぞれの状態を維持するためのトグル付勢手段を有することを特徴とする請求項１に記載のステレオタイプ音響用レコーダ。
【発明の詳細な説明】
【技術分野】
【０００１】
この発明は、一対のマイクロフォンと指向特性を切り換える指向性切換機構を有するステレオマイクユニットを具備したステレオタイプ音響用レコーダに関するものである。
【背景技術】
【０００２】
近年、音声をマイクロフォン等によって電気的な音声信号に変換し、これにより生成された音声信号を所定の形態のデジタル音声データとして記録媒体、例えばフラッシュメモリ等のＩＣ（Integrated Circuit；集積回路）に記録（録音）すると共に、当該デジタル音声データに基いて音声を再生（発音）させるスピーカ若しくはイヤホン等の音声出力装置を備えて構成され、可搬性を有し小型で携帯性に優れた録音機器であって、いわゆるＩＣレコーダ（Digital Voice Recorder）等と呼ばれる音響用レコーダが一般に実用化され広く普及している。
【０００３】
このような従来の音響用レコーダにおいては、例えば一対のマイクロフォンからなるステレオマイクユニットを内部に収納した形態のステレオタイプのレコーダが普及している。
【０００４】
この種の従来のステレオタイプ音響用レコーダに具備されているステレオマイクユニットにおいては、例えば一対のマイクロフォンのそれぞれの向きを変更可能に構成したり、マイクロフォンの音口を開閉する等の機構を用いて、用途に応じて集音領域を変化させ、これによって、ステレオマイクユニットの指向特性を切り換えることのできる指向性切換機構を有して構成されたものがある。
【０００５】
例えば、特許第３８６２６２８号公報等によって開示されている手段は、携帯電話に搭載されるマイクユニットであって、動作モードの切り換えに応じてマイクロフォンの指向特性を切り換える指向性切換機構を有して構成したマイクユニットの例示である。
【０００６】
また、特開２０１２−１００２３９号公報によって開示されている手段は、一対の無指向性マイクロフォンと、一つの指向性マイクロフォンとを具備した録音機器であって、一対の無指向性マイクロフォンによって挟まれる部位において、筐体内部に押し込まれる位置と筐体表面から突出した位置との間で移動自在に指向性マイクロフォンを設けて構成している。そして、使用者（ユーザ）が選択した録音条件、例えばステレオ録音やズーム録音等の条件に応じて、録音機器の設定が自動的に行われるようにすることで、意図した音響を高品質で手軽に録音することができるというものである。
【先行技術文献】
【特許文献】
【０００７】
【特許文献１】特許第３８６２６２８号公報
【特許文献２】特開２０１２−１００２３９号公報
【発明の概要】
【発明が解決しようとする課題】
【０００８】
ところが、上記特許第３８６２６２８号公報，特開２０１２−１００２３９号公報等によって開示されている従来のステレオタイプ音響用レコーダにおいては、ステレオマイクロフォンの配置角度を変えるとステレオ感が損なわれたり、所定の領域からの音響が拾い難くなってしまい、いわゆる中抜け現象が発生する等といった問題点が存在していた。
【０００９】
また、従来のステレオタイプ音響用レコーダにおいては、用途に応じてステレオマイクユニットの指向性を無指向性に設定変更したいといった要求が存在していた。
【００１０】
本発明は、上述した点に鑑みてなされたものであって、その目的とするところは、一対のマイクロフォンの配置を機械的に変更することなく、ステレオマイクユニットとしての指向特性を切り換えることのできる指向性切換機構を実現したステレオマイクユニットを具備するステレオタイプ音響用レコーダを提供することである。
【課題を解決するための手段】
【００１１】
上記目的を達成するために、本発明の一態様のステレオタイプ音響用レコーダは、それぞれに前面音口と背面音口とが設けられた一対のマイクロフォンと、上記前面音口に音圧をかけるための前面開口と上記背面音口に音圧をかけるための背面開口とを有し上記一対のマイクロフォンの一つをそれぞれ収納しそれぞれの指向軸が所定の角度で交差して固定される一対の筒状の集音枠と、上記背面開口を開閉するためのシャッタ部材と、上記シャッタ部材の開閉を行うための開閉手段とを有する。
【発明の効果】
【００１２】
本発明によれば、一対のマイクロフォンの配置を機械的に変更することなく、ステレオマイクユニットとしての指向特性を切り換えることのできる指向性切換機構を実現したステレオマイクユニットを具備するステレオタイプ音響用レコーダを提供することができる。
【図面の簡単な説明】
【００１３】
【図１】本発明の一実施形態のステレオタイプ音響用レコーダの前面側を主に示す外観斜視図
【図２】図１のステレオタイプ音響用レコーダの背面側を主に示す外観斜視図
【図３】図１のステレオタイプ音響用レコーダにおけるステレオマイクユニットの配置を示す概略斜視図
【図４】図１のステレオタイプ音響用レコーダにおけるステレオマイクユニットの指向性切換機構の一部（操作部側）を示す概略斜視図
【図５】図４の状態から一部の部品（ガイド部材）を取り除き、指向性切換用の操作部材の配置を示す概略斜視図
【図６】図１のステレオタイプ音響用レコーダにおけるステレオマイクユニットのみを取り出して前面側の外観を示す概略斜視図
【図７】図１のステレオタイプ音響用レコーダにおけるステレオマイクユニットのみを取り出して背面側の外観を示す概略斜視図
【図８】図１のステレオタイプ音響用レコーダにおけるステレオマイクユニット（無指向性に設定されている状態）の縦断面図
【図９】図１のステレオタイプ音響用レコーダにおけるステレオマイクユニット（所定の指向特性を有するように設定されている状態）の縦断面図
【図１０】図１のステレオタイプ音響用レコーダにおけるステレオマイクユニットの内部構成を前面側から見た概略斜視図
【図１１】図１のステレオタイプ音響用レコーダにおけるステレオマイクユニットの内部構成を背面側から見た概略斜視図
【図１２】図１のステレオタイプ音響用レコーダにおけるステレオマイクユニットの内筒のみを取り出して示す外観斜視図
【図１３】図１のステレオタイプ音響用レコーダにおけるステレオマイクユニットの指向性切換機構の作用を示し、ステレオマイクユニットが無指向性に設定されている状態を示す外観図
【図１４】図１のステレオタイプ音響用レコーダにおけるステレオマイクユニットの指向性切換機構の作用を示し、ステレオマイクユニットが所定の指向特性を有するように設定されている状態を示す外観図
【図１５】図１のステレオタイプ音響用レコーダにおけるステレオマイクユニットを所定の指向特性を有するように設定した通常状態の指向特性を示す図
【図１６】図１のステレオタイプ音響用レコーダにおけるステレオマイクユニットを無指向性に設定した状態の指向特性を示す図
【発明を実施するための形態】
【００１４】
以下、図示の実施の形態によって本発明を説明する。以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１５】
図１，図２は、本発明の一実施形態のステレオタイプ音響用レコーダを示す外観斜視図である。このうち、図１は本実施形態のステレオタイプ音響用レコーダの前面側を主に示している。また、図２は同ステレオタイプ音響用レコーダの背面側を主に示している。
【００１６】
本発明の一実施形態のステレオタイプ音響用レコーダ（以下、単にレコーダという）１は、一対のマイクロフォン２４を備えると共に、指向特性を切り換える指向性切換機構（詳細後述）を有するステレオマイクユニット１２（後述；図３等参照）を具備して構成されている。
【００１７】
以下、本実施形態のレコーダ１の概略構成を簡単に説明する。図１，図２に示すように、本実施形態のレコーダ１は、略直方体形状に形成された本体１０と、複数の操作部材（図示の例では符号２１，２２，２５等）と、各種情報を表示する表示装置２３と、一対のマイクロフォン２４等によって構成されるステレオマイクユニット１２等によって構成される。
【００１８】
本体１０の内部には、各種の構成ユニットが収納配置されている。また、本体１０の外面には、複数の操作部材（２１，２２，２５）や表示装置２３等が配設されている。このうち複数の操作部材としては、図１に示すように、本体１０の前面に、例えば録音動作の開始，停止，一時停止，先送り後戻し等の各種操作を行うための操作部材（２１，２２等）を設けられている。このほか、図２に示すように、本体１０の背面には、ステレオマイクユニット１２の指向特性を切り換えるための指向性切換機構（後述）に作用する操作部材２５等がある。これら複数の操作部材の形態としては、例えば押しボタン式，スライド式，ダイヤル式，タッチ式等、各種の操作方式のものが適用されている（さらに詳細は後述する）。
【００１９】
上記操作部材２５は、所定の範囲内において摺動自在となるように本体１０に配設されている。使用者（ユーザ）は、この操作部材２５を図２に示す矢印Ｙで示す方向にスライド操作することによって、当該レコーダ１におけるステレオマイクユニット１２の指向特性を切り換えることができるようになっている。そのために、上記操作部材２５には、使用者（ユーザ）が手指をかける部位となる手動操作ツマミである操作ツマミ部２５ａが外部に突出するように形成されている。この操作ツマミ部２５ａは、本体１０の背面側に形成された開口部１０ａから露呈するように配設されている。この構成により、使用者（ユーザ）は、操作ツマミ部２５ａを介して操作部材２５のスライド操作を行ない得る。そして、操作部材２５のスライド移動量は、開口部１０ａによって規制されている。即ち、上記操作部材２５は、上記操作ツマミ部２５ａが開口部１０ａ内にて所定の方向（矢印Ｙに沿う方向）に移動する。このとき、上記操作部材２５の操作ツマミ部２５ａは開口部１０ａの範囲内で移動する。つまり、開口部１０ａの矢印Ｙに沿う方向の長さ寸法によって、操作ツマミ部２５ａの摺動は規制されている。したがって、開口部１０ａの矢印Ｙに沿う方向の長さ寸法によって操作部材２５のスライド移動量は規定される。なお、当該操作部材２５と、これに連動する指向性切換機構についての詳細構成は後述する。
【００２０】
表示装置２３は、本レコーダ１の各種設定状況や動作状態等を表示するための表示ユニットである。表示装置２３の表示面は、本体１０の前面に露呈するように配置されている。表示装置２３としては、例えば液晶表示ディスプレイ（Liquid Crystal Display；ＬＣＤ）等が適用される。
【００２１】
なお、本体１０の内部に収納配置されている各種構成ユニットについては、本発明に直接関連しない部分であるので、従来のレコーダ等と同様の構成を有しているものとして、その図示及び説明は省略する。
【００２２】
次に、本発明の主要部となるステレオマイクユニット１２と、その指向性切換機構の詳細構成について、以下に説明する。図３は、本実施形態のレコーダにおけるステレオマイクユニットの配置を示す概略斜視図図である。なお、図３においては、本体１０の内部構成ユニットのうち本発明に関連するステレオマイクユニット１２及びその指向性切換機構のみを図示しており、その他の構成ユニットの図示は省略している。
【００２３】
上述したように、本実施形態のレコーダ１に具備されるステレオマイクユニット１２は、一対のマイクロフォン２４を備え、指向特性を切り換える指向性切換機構を有して構成されている。ステレオマイクユニット１２は、図３に示すように、本体１０の内部固定部分に対して固設されていると共に、当該ステレオマイクユニット１２の一部を構成する一対のマイクロフォン２４の一部分が本体１０の側縁部における一面から外部に露呈するように、本体１０に対して配置されている。
【００２４】
図４，図５は、ステレオマイクユニットの指向性切換機構の一部（操作部側）を示す概略斜視図である。このうち、図４は図３の状態からステレオマイクユニットを取り外した状態を示しており、当該指向性切換機構の操作部側の構成を示している。また、図５は図４の状態からさらに一部の部品（ガイド部材）を取り除き、当該指向性切換用の操作部材の配置を示している。なお、図４，図５においては、本体１０の内部構成ユニットのうち本発明に関連する部材のうち指向性切換機構に関連する部材のみを図示しており、その他の構成ユニットの図示は省略している。
【００２５】
本体１０の内部において、背面側に上記操作部材２５が、矢印Ｙに沿う方向のみに摺動自在となるように配設されている。操作部材２５は、図５に示すように、全体として略平板状部材によって形成されている。操作部材２５の一方の面であって、本体１０の背面から外部に向かう面には、図２に示すように、操作ツマミ部２５ａが開口部１０ａから外方に向けて突設している。また、同操作部材２５の他方の面であって、本体１０の背面から内部に向かう面には、図５に示すように、一対の突状部からなる爪部２５ｂが内方に向けて突設されている。この爪部２５ｂは、当該操作部材２５の操作力量を指向性切換機構（詳細後述）へ伝達するための構成部である。
【００２６】
本体１０の背面側の内壁部分には、操作部材２５を所定の方向（矢印Ｙに沿う方向）の摺動をガイドする二本のガイドリブ１１ｄが形成されている。この二本のガイドリブ１１ｄに挟まれるように操作部材２５が配設されている。また、本体１０側の開口部１０ａも、二本のガイドリブ１１ｄに挟まれる部位に形成されている（図５参照）。
【００２７】
操作部材２５は、本体１０の所定の位置、即ち図５に示すように、二本のガイドリブ１１ｄに若干の隙間を有して挟まれ、本体１０に対して所定方向（矢印Ｙに沿う方向）のみに摺動自在に配設されガイドされている。この状態で操作部材２５は、図４に示すように、ガイド部材２７と本体１０の内面との間に若干の隙間を有して挟まれ配設されている。そのために、ガイド部材２７は、長軸方向（矢印Ｙに沿う方向）の両端部分が本体１０の二本のボス部１１ｂのビス穴（図５参照）に対してビス２６ａを用いて固定されている。ガイド部材２７は、操作部材２５の長軸方向（矢印Ｙに沿う方向）に長辺を有する略平板状部材によって形成されている。そして、操作部材２５の長軸方向の摺動は、二本のボス部１１ｂに両端部が当接することによって規制されている。また、ガイド部材２７には、中程の部位に、上記操作部材２５の爪部２５ｂが嵌入し、当該爪部２５ｂの矢印Ｙに沿う方向への移動を許容すると同時に、その摺動方向の移動量も許容する開口２７ａが形成されている。
【００２８】
なお、ここで、上記操作部材２５とガイド部材２７とは、本実施形態のレコーダ１のステレオマイクユニット１２における指向性切換機構の一部であって、その操作部側の構成要素である。
【００２９】
換言すると、操作部材２５とガイド部材２７とは、指向性切換機構の他の一部の構成要素を介して後述するシャッタ部材（内筒３６）に作用して、後述する集音枠（マイク保持枠３５）の集音開口（３１ａ）の開閉を行う開閉手段として機能する構成部材となっている。
【００３０】
一方、本体１０の背面側の内面には、図５に示すように、内部に向けて突設される複数のボス部が配設されている。このうちボス部１１ｂ（二本）は、図４，図５に示すように、上述のガイド部材２７を固定するために設けられているものである。また、他のボス部１１ｅ（二本）は、図３，図４に示すように、ステレオマイクユニット１２をビス２６ｂ（図３参照）によって固定するために設けられているものである。
【００３１】
また、図４，図５に示すように、本体１０の一面には、上記ステレオマイクユニット１２の一部である一対のマイクロフォン２４が配置される部分に切欠部１１ａが形成されている。
【００３２】
図６，図７は、本実施形態のレコーダにおけるステレオマイクユニットのみを取り出して示す概略斜視図である。このうち図６はステレオマイクユニットの前面側の外観を示している。また、図７はステレオマイクユニットの背面側の外観を示している。図８，図９はステレオマイクユニットの縦断面図である。詳細は後述するが、このうち図８はステレオマイクユニットの開口が遮蔽されてステレオマイクユニットが無指向性に設定されている状態を示している。また、図９はステレオマイクユニットの開口が開放されてステレオマイクユニットが所定の指向特性を有するように設定された通常状態を示している。なお，図８，図９では、マイクカバーを取り外した状態を示している。図１０，図１１はステレオマイクユニットから一部の部品（前カバー，マイクカバー，内筒）を取り外して内部構成を示す概略斜視図である。このうち図１０は前面側の外観を、図１１は後述のスライド部材３４を取り除いた外観をそれぞれ示している。図１２は、ステレオマイクユニットにおける内筒のみを取り出して示す外観斜視図である。
【００３３】
ステレオマイクユニット１２は、前カバー３２と、背面カバー３３と、指向性切換機構の一部（マイクユニット側）と、一対のマイクロフォン２４等の複数の部品によって主に構成されている。
【００３４】
このうち前カバー３２は、主に図６に示すようにステレオマイクユニット１２の前面側を覆い保護する略板形状からなるカバー部材である。また、背面カバー３３は、主に図７に示すようにステレオマイクユニット１２の背面側を覆い保護すると共に、図１０等に示すように一対のマイクロフォン２４や指向性切換機構の各構成部材を、所定の位置に固定する略板形状からなるカバー部材でありベース部材である。
【００３５】
マイクロフォン２４は、前面音口と背面音口とを設けたマイク素子３８を有するユニットである。ここで、前面音口とは、外部に露呈される前面側に配置される集音口をいう。また、背面音口とは、ユニット内部側に配設され上記前面音口（前面側の集音口）に対して背面側に配置される集音口をいう。詳述すると、マイクロフォン２４は、マイクカバー３１と、マイク保持枠３５と、内筒３６と、クッション３７と、マイク素子３８等によって主に構成されている。本実施形態のステレオマイクユニット１２は、このマイクロフォン２４を２個１組（一対）備えて構成されている。
【００３６】
マイク保持枠３５は、マイク素子３８の前面音口に音圧をかけるための前面開口３５ｂと、マイク素子３８の背面音口に音圧をかけるための背面開口３５ｃとを有し、一対のマイクロフォン２４の一つをそれぞれ収納し、それぞれの指向軸が所定の角度（本実施形態においては角度９０度に設定している）で交差して固定される一対の筒形状からなる集音枠である。
【００３７】
具体的には、マイク保持枠３５は、主に図１１に示すように、全体として中空部を有する略円筒形の枠形状に形成されており、先端筒部近傍にマイク素子３８を固定保持し、基端部には上記背面カバー３３に対して固設されるための固定部３５ａを有して形成されている。
【００３８】
マイク素子３８は、通常状態で所定の範囲の指向特性を有するマイクロフォンとなる電気部品である。マイク素子３８の前面音口は、マイク保持枠３５の前面開口３５ｂである先端開口から外部に向けて設置されている。
【００３９】
マイク保持枠３５には、図６，図７に示すように、当該マイク保持枠３５の外面側の覆うようにマイクカバー３１がビス４８等を用いて固設されている。このマイクカバー３１は、略円筒状部材を軸方向に沿って縦に二分割した形態で、略半円筒形状に形成されている部材である。そして、マイク保持枠３５は、二つのマイクカバー３１によって外周面が覆い保護されている。また、マイクカバー３１の軸方向中程の部位には、円周方向に沿ってスリット状の貫通した長孔からなる集音開口３１ａが複数穿設されている。この集音開口３１ａは、マイク保持枠３５の中空部及びこの中空部に配設されているマイク素子３８の背面音口３５ｃに連通している。
【００４０】
内筒３６は、主に図８，図９，図１２等に示すように、全体として中空部を有する略円筒形状の筒部３６ａと、この筒部３６ａの基端側に一体に形成され略三角板形状の支持部３６ｂとによって構成されている。この内筒３６は、マイク保持枠３５の中空部の内部に配置され、当該中空部内を軸方向に摺動自在に配設されている。なお、内筒３６の支持部３６ｂの頂点部分には支軸３６ｃが当該レコーダ１の前面側に向けて植設されている。
【００４１】
筒部３６ａの先端部位には、図８，図９に示すように、当該筒部３６ａの先端開口を覆うようにクッション３７が固設されている。このクッション３７は、後述する指向性切換機構の作用によって、当該内筒３６がマイク保持枠３５内を摺動して所定の位置に配置されたとき、クッション３７がマイク素子３８の背面音口を覆うように配設され、これによってマイク素子３８の背面音口から入力され得る音声を遮断するために設けられている遮音部材である。
【００４２】
さらに、内筒３６は、後述する指向性切換機構の作用によってマイク保持枠３５内を摺動することにより、マイクカバー３１の集音開口３１ａを内側から遮蔽する位置と、開放する位置とに移動することで、集音開口３１ａを開閉するシャッタ部材として機能している。
【００４３】
そして、本ステレオマイクユニット１２においては、上記のように構成されたマイクロフォン２４を２個（一対）有している。この場合において、一対のマイクロフォン２４は、それぞれの指向軸（図６に示す矢印ＳＬ，ＳＲに沿う方向）が互いに略直交するように背面カバー３３上に配置されている。換言すれば、一対のマイクロフォン２４は、各指向軸が角度９０度（若しくは略９０度）で交差するようにして配置されている。そして、上記一対のマイクロフォン２４は、前カバー３２と背面カバー３３との間にマイク保持枠３５の固定部３５ａを挟持した状態で、ビス４６（図６参照）とナット４７（図７参照）とによって締結固定されている。
【００４４】
一方、指向性切換機構におけるマイクユニット側の構成部材は、スライド部材３４と、切換レバー３９と、付勢部材４０等がある。
【００４５】
スライド部材３４は、図８，図９，図１０等に示すように、全体として略五角形状からなる板状部材によって構成されている。スライド部材３４は、前カバー３２と背面カバー３３との間の空間において、図８，図９の矢印Ｙに沿う方向に摺動自在に配設されている。そのために、上記背面カバー３３の一面には、上記スライド部材３４が当該背面カバー３３上に配設されたとき、スライド部材３４が所定の方向（矢印Ｙに沿う方向）のみに摺動自在となるようにスライド部材３４の摺動をガイドするガイドピン３３ａ（一本），３３ｂ（二本）が前面に向けて植設されている。
【００４６】
これに対応させて、スライド部材３４には、二つの側辺部の近傍に同側辺に沿って延びる二本の貫通長孔３４ｂと、頂点部の近傍から上記側辺に平行に延びる一本の貫通長孔３４ｃとが形成されている。そして、一本のガイドピン３３ａは貫通長孔３４ｃに係合し、二本のガイドピン３３ｂは二本の貫通長孔３４ｂにそれぞれ係合している。この構成により、スライド部材３４は、前カバー３２と背面カバー３３との間に挟まれた状態で配設され、図８，図９の矢印Ｙに沿う方向への摺動が許容されている。なお、スライド部材３４の矢印Ｙ方向への移動量は、貫通長孔３４ｂ，３４ｃの同Ｙ方向の長さによって規定される。
【００４７】
また、スライド部材３４には、二つの斜辺の近傍に同斜辺に沿って延びる二本の貫通長孔３４ａが形成されている。この二本の貫通長孔３４ａのそれぞれには、内筒３６の支軸３６ｃが係合している。この構成により、後述する指向性切換機構の作用によってスライド部材３４が矢印Ｙ方向に摺動されると、内筒３６がマイク保持枠３５内を摺動して図６の矢印ＳＬ，ＳＲ方向に移動するようになっている。
【００４８】
さらに、スライド部材３４には、板状中央部付近であって上記貫通長孔３４ｃの終端部の近傍に同貫通長孔３４ｃに直交する方向に長軸を有する貫通長孔３４ｄが形成されている。また、上記貫通長孔３４ｃの周縁部には、当該貫通長孔３４ｃを囲うように壁状突部３４ｅ（図８，図９参照）が形成されている。これに対応させて、上記貫通長孔３４ｄには、切換レバー３９の作動ピン３９ａが貫通配置されている。
【００４９】
ここで、切換レバー３９は、主に図７に示すように、一端が背面カバー３３の背面側に外方に向けて突出するように植設された支軸４１に対し回動自在に軸支されている。切換レバー３９の一端側において、支軸４１の近傍には円弧状の長孔３９ｂが形成されている。この長孔３９ｂの円弧形状は、支軸４１を回転中心とする円弧となっている。この長孔３９ｂには、背面カバー３３に植設されたピン４２が遊嵌している。
【００５０】
また、切換レバー３９の他端側には、上記作動ピン３９ａが前面に向けて突設されている。この作動ピン３９ａは、主に図１１等に示すように、背面カバー３３に形成された円弧形状の円弧状貫通溝３３ｃに係合し、これを貫通した後、さらにスライド部材３４の上記貫通長孔３４ｄに係合している。ここで、上記円弧状貫通溝３３ｃの円弧形状は、支軸４１を回転中心とする円弧となっている。したがって、切換レバー３９が後述する指向性切換機構の作用によって支軸４１を回転中心として回動させられると、上記作動ピン３９ａが円弧状貫通溝３３ｃに沿って移動する。これに伴って、作動ピン３９ａは、上記貫通長孔３４ｄを介してスライド部材３４を矢印Ｙ方向に摺動させるように構成されている。このとき、上記作動ピン３９ａが円弧状貫通溝３３ｃに沿って移動することから、作動ピン３９ａはスライド部材３４に対しては、その摺動方向（矢印Ｙ方向）の略直交方向に位置ズレが生じる。そこで、スライド部材３４と作動ピン３９ａとの係合部分を、矢印Ｙ方向に直交方向の長孔となる貫通長孔３４ｄとすることで、作動ピン３９ａの位置ズレを吸収している。
【００５１】
一方、切換レバー３９は、付勢部材４０の付勢力によって、常に上記円弧状貫通溝３３ｃの両端のいずれか一方に向けて付勢されている。また、切換レバー３９の作動ピン３９ａが、使用者（ユーザ）による操作部２５へのスライド操作によって移動しているとき、即ち作動ピン３９ａが円弧状貫通溝３３ｃの中途位置にあるときには、切換レバー３９には、上記円弧状貫通溝３３ｃの両端のいずれか一方に向けた付勢部材４０による付勢力が働いている。したがって、この状態においては、当該付勢部材４０は使用者（ユーザ）の操作力量を軽減すると共に、スライド操作を補助（アシスト）する役目もしている。
【００５２】
付勢部材４０は、例えばトーションばね（ねじりばね）等を適用したトグル付勢手段である。つまり、付勢部材４０の一腕側先端は円弧状に曲げられて切換レバー３９の他端に設けられたピン４３に回転可能に軸支されている。また、付勢部材４０の他腕側先端は円弧状に曲げられて背面カバー３３の背面に設けられたピン４４に回転可能に軸支されている。
【００５３】
このような構成により、ステレオマイクユニット１２が、例えば図７に示す状態（後述する図１３も同様）にあるときには、付勢部材４０は、この状態を維持すべく、切換レバー３９を支軸４１周りに図７（図１３）において反時計方向へと付勢する。このとき、スライド部材３４の貫通長孔３４ｃの一端とガイドピン３３ａとが当接してスライド部材３４の図１３中における上方向への移動が停止され、作動ピン３９ａが円弧状貫通溝３３ｃの一端である上方終端手前で、貫通孔３４ｄを介して当該作動ピン３９ａの移動が停止される。これにより、図７（図１３）の状態が維持される。また、この図７（図１３）の状態から、後述する指向性切換機構の作用によって、付勢部材４０の付勢力に抗して切換レバー３９が回動されて、後述する図１４の状態に至ると、付勢部材４０は、この図１４に示す状態を維持すべく、切換レバー３９を支軸４１周りに図１４において時計方向へと付勢する。このとき、スライド部材３４の貫通長孔３４ｃの他端とガイドピン３３ａとが当接してスライド部材３４の図１４中における下方向への移動が停止され、作動ピン３９ａは円弧状貫通溝３３ｃの他端である下方終端手前で、貫通孔３４ｄを介して当該作動ピン３９ａの移動が停止されている。これにより、図１４の状態が維持される。
【００５４】
なお、切換レバー３９の他端に設けられた上記ピン４３は、ステレオマイクユニット１２を本体１０の所定の位置に配置したとき、上述の操作部材２５の爪部２５ｂにおける一対の突状部間内に嵌入し挟持される。したがって、これにより、操作部材２５のスライド操作力量は、爪部２５ｂ及びピン４３を介して指向性切換機構へと伝達される構成となっている。
【００５５】
上述のように構成された本実施形態のレコーダ１において、ステレオマイクユニット１２の指向特性を切り換える際の作用を、以下に説明する。
【００５６】
図１３，図１４は、本実施形態のレコーダにおけるステレオマイクユニットの指向性切換機構の作用を示す図である。図１３，図１４においては、ステレオマイクユニットのみを取り出して、その背面側から見たようすを示している。なお、図１３はステレオマイクユニットが無指向性に設定されている状態を示している。また、図１４はステレオマイクユニットが所定の指向特性を有するように設定された通常状態を示している。図１５，図１６は、本実施形態のレコーダにおけるステレオマイクユニットの各状態における指向性を示す図である。このうち図１５は、所定の指向特性を有するように設定した通常状態の指向特性を示している。図１６は、無指向性に設定した状態の指向特性を示している。なお、図１５，図１６において、Ｒｃｈ，Ｌｃｈの表記は、ステレオマイクユニット１２における右チャンネル，左チャンネルを表す記述である。
【００５７】
まず、本実施形態のレコーダ１において、ステレオマイクユニット１２の指向特性を切り換えるためには、使用者（ユーザ）は操作部材２５（図２参照）の操作ツマミ部２５ａを手指で摘まんで若しくは指腹を押圧させる等によって、矢印Ｙに沿う方向にスライド操作する。
【００５８】
いま、操作部材２５の操作ツマミ部２５ａが、本体１０の開口部１０ａ内において下辺寄りの位置（図２に示す位置）にあるものとする。このとき、本体１０内部のステレオマイクユニット１２における指向性切換機構の切換レバー３９及び付勢部材４０は図１４に示す状態である。即ち、切換レバー３９は図１４に示す位置にあって付勢部材４０の付勢力によって、この位置が維持されている。同時に、操作部材２５は図２に示す位置にある。したがって、操作部材２５の爪部２５ｂは図４に示す位置にある。また、この状態において、指向性切換機構のスライド部材３４及び内筒３６は図９に示す位置にある。
【００５９】
この状態にあるとき、即ち操作部材２５が図２の位置にあり、指向性切換機構が図１４の状態にある時、使用者（ユーザ）が操作部材２５をスライド操作して図１４に示す矢印Ｙ２に沿う方向に移動させる。すると、操作部材２５の爪部２５ｂに係合されているピン４３が同方向（矢印Ｙ２方向）に移動するのに伴って、切換レバー３９は付勢部材４０の付勢力に抗して図１４に示す矢印Ｒ２方向（図１４において反時計方向）に支軸４１を回転中心として回動する。これにより、切換レバー３９の作動ピン３９ａは、図９に示す位置から円弧状貫通溝３３ｃに沿う円弧状にかつ矢印Ｙ２で示される方向に移動する。このとき作動ピン３９ａは、貫通長孔３４ｄを介してスライド部材３４ｄを押圧し、当該スライド部材３４を矢印Ｙ２に沿う方向へスライド移動させる。ここで、スライド部材３４は、上述したように、貫通長孔３４ｂ，３４ｃにガイドピン３３ａ，３３ｂが係合していることによって、矢印Ｙ２に沿う方向にのみ移動するようにガイドされる。
【００６０】
このようにして、スライド部材３４が矢印Ｙ２に沿う方向へ移動すると、二つの内筒３６の各支軸３６ｃは二本の貫通長孔３４ａのそれぞれに沿って移動しつつ、二つの内筒３６をマイク保持枠３５内において矢印ＳＲ２，ＳＬ２に沿う方向（図９参照）へとスライド移動させる。そして、操作部材２５が開口部１０ａ内において上辺に到達すると、切換レバー３９，付勢部材４０は図１３に示す位置に配置される。このとき、切換レバー３９は付勢部材４０の付勢力によって、この図１３に示す位置が維持される。このとき同時に、スライド部材３４は図８に示す位置に配置される。これによって、二つの内筒３６も図８に示す位置に配置される。この状態において、二つの内筒３６の各先端開口に設けられた各クッション３７は、それぞれに対応する各マイク素子３８の背面音口を遮蔽する位置に配置される。これにより、各マイク素子３８の背面音口からの音声入力は遮断された状態になる。同時に、二つの内筒３６は、マイクカバー３１の集音開口３１ａを内側から遮蔽する位置に配置される。これによって、マイクカバー３１の集音開口３１ａから各マイク素子３８の背面音口へと進入しようとする音声を遮断する。この状態となった時、当該ステレオマイクユニット１２の指向特性は、図１６に示すような無指向性の状態になる。
【００６１】
一方、この状態（図８，図１３に示す）、即ちステレオマイクユニット１２が無指向性に設定されている状態から所定の指向特性を有するように設定するための切り換え操作は、次のようになる。即ち、使用者（ユーザ）は、操作部材２５の操作ツマミ部２５ａを、手指で摘まんで若しくは指腹を押圧させる等によって、上述の場合と同様に矢印Ｙに沿う方向にスライド操作する。この場合のスライド方向は、図８，図１３に示す矢印Ｙ１に沿う方向である。このスライド操作によって、操作部材２５の爪部２５ｂに係合されているピン４３が同方向（矢印Ｙ１方向）に移動し、これに伴って、切換レバー３９は付勢部材４０の付勢力に抗して図１３に示す矢印Ｒ１方向（図１３において時計方向）に支軸４１を回転中心として回動する。これにより、切換レバー３９の作動ピン３９ａは、図８に示す位置から円弧状貫通溝３３ｃに沿う円弧状に矢印Ｙ１で示される方向に移動する。これにより作動ピン３９ａは、スライド部材３４の貫通長孔３４ｄとの係合によって、当該スライド部材３４を矢印Ｙ１に沿う方向へスライド移動させる。
【００６２】
このようにして、スライド部材３４が矢印Ｙ１に沿う方向へ移動すると、二つの内筒３６の各支軸３６ｃは二本の貫通長孔３４ａのそれぞれに沿って移動しつつ、二つの内筒３６をマイク保持枠３５内において矢印ＳＲ１，ＳＬ１（図８参照）に沿う方向へとスライド移動させる。そして、操作部材２５が開口部１０ａ内において下辺に到達すると、切換レバー３９，付勢部材４０は図１４に示す位置に配置される。このとき、切換レバー３９は付勢部材４０の付勢力によって、この図１４に示す位置が維持される。このとき同時に、スライド部材３４は図９に示す位置に配置される。これによって、二つの内筒３６も図９に示す位置に配置される。この状態において、二つの内筒３６の各先端開口に設けられた各クッション３７は、それぞれに対応する各マイク素子３８から離間して、その背面音口を開放する位置に配置される。同時に、二つの内筒３６は、マイクカバー３１の集音開口３１ａを開放する位置に配置される。これによって、マイクカバー３１の集音開口３１ａから内部へと進入し、各マイク素子３８の背面音口へも音声の入力が可能となる。この状態となった時、当該ステレオマイクユニット１２の指向特性は、図１５に示すような所定の指向特性を有する状態になる。なお、図１５、図１６中に示すＬｃｈ、Ｒｃｈの線図はそれぞれ左マイクロフォン、右マイクロフォンからの出力を相対比較するものであり周方向は配向角度を示し、径方向の目盛りは相対的デシベル値を示している。これらによれば、明らかに図１５は図１６に対し指向性を有した特性を表している。
【００６３】
以上説明したように、上記一実施形態のステレオタイプ音響用レコーダ１は、一対のマイクロフォン２４を有し、一対のマイクロフォン２４のそれぞれを一つずつ収納する筒状のマイク保持枠３５（集音枠）を、各指向軸が角度略９０度で交差（略直交）するように固設されたステレオマイクユニット１２を具備して構成されている。このステレオタイプ音響用レコーダ１において、上記マイク保持枠３５は、背面音口に音圧をかけるための背面開口を有しており、この背面開口に連通している集音開口３１ａに対して内筒３６（シャッタ部材）の位置を開閉手段を用いて変位させるように構成されている。ここで、開閉手段は、操作部材２５のスライド操作に連動して上記内筒３６を移動させて所定の位置に配置することで、集音開口３１ａの開状態若しくは閉状態を設定し得る。
【００６４】
したがって、このような構成によって、本実施形態の構成によれば、一対のマイクロフォン２４の配置角度を維持したまま、操作部材２５のスライド操作を行うのみで、ステレオマイクユニット１２の指向特性を切り換え変更することができる。
【００６５】
なお、上記一実施形態においては、本発明を適用した例示として、ステレオマイクユニットを内蔵した録音機器であるステレオタイプ音響用レコーダを例に挙げて説明している。しかしながら、本発明を適用し得る機器の形態は、このような形態に限られることはない。例えば、上記一実施形態のステレオタイプ音響用レコーダにおいて例示したステレオマイクユニットを、そのままの形態で、もしくは若干の構成を工夫することで、単体のマイクロフォンに適用することは容易に可能である。
【００６６】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【産業上の利用可能性】
【００６７】
本発明は、音声録音機能に特化した電子機器であるステレオタイプ音響用レコーダに限られることはなく、マイクロフォンを有し録音機能を備えた他の形態の電子機器、例えばカメラ等の撮影機器，携帯電話，スマートフォン，電子手帳，電子辞書，パーソナルコンピュータ，タブレット端末機器，ゲーム機器，テレビ，時計，ＧＰＳ（Global Positioning System）を利用したナビゲーション機器等、各種の録音機能付き電子機器にも広く適用することができる。
【符号の説明】
【００６８】
１……ステレオタイプ音響用レコーダ，
１０……本体，１０ａ……開口部，１１ａ……切欠部，１１ｂ，１１ｅ……ボス部，１１ｄ……ガイドリブ，
１２……ステレオマイクユニット，
２１，２２，２５……操作部材，
２３……表示装置，
２４……マイクロフォン，
２５ａ……操作ツマミ部，２５ｂ……爪部，
２６ａ，２６ｂ……ビス，
２７……ガイド部材，２７ａ……開口，
３１……マイクカバー，３１ａ……集音開口，
３２……前カバー，３３……背面カバー，３３ａ，３３ｂ……ガイドピン，３３ｃ……円弧状貫通溝，
３４……スライド部材，３４ａ，３４ｂ，３４ｃ，３４ｄ……貫通長孔，３４ｅ……壁状突部，
３５……マイク保持枠，３５ａ……固定部，
３６……内筒，３６ａ……筒部，３６ｂ……支持部，３６ｃ……支軸，
３７……クッション，
３８……マイク素子，
３９……切換レバー，３９ａ……作動ピン，３９ｂ……長孔，
４０……付勢部材，４１……支軸，
４２，４３，４４……ピン，４６……ビス，４７……ナット，４８……ビス，
【図１】
2016054401.tif 000003
【図２】
2016054401.tif 000004
【図３】
2016054401.tif 000005
【図４】
2016054401.tif 000006
【図５】
2016054401.tif 000007
【図６】
2016054401.tif 000008
【図７】
2016054401.tif 000009
【図８】
2016054401.tif 000010
【図９】
2016054401.tif 000011
【図１０】
2016054401.tif 000012
【図１１】
2016054401.tif 000013
【図１２】
2016054401.tif 000014
【図１３】
2016054401.tif 000015
【図１４】
2016054401.tif 000016
【図１５】
2016054401.tif 000017
【図１６】
2016054401.tif 000018